(57)【要約】【課題】セルフポートレートモードで撮影を行なうのに適したピントの設定はもとより、そのピントの設定に応じた適正露光量を得るカメラを提供すること。【解決手段】被写体距離を０．３５ｍから０．８５ｍとして０．５５ｍ以上の被写体距離に撮影者がいるときには０．８５ｍにピントをあわせて撮影を行ない、０．５５ｍよりも短い被写体距離に撮影者が位置するときには被写体距離Ｌにピントをあわせて撮影を行なう。このときに本カメラが有する特有のフラッシュマチック制御方式を用いて閃光を発して撮影を行ない、被写体距離に応じた、鮮明な写真を得る。【選択図】    図３
2004294820.tif 000002
【特許請求の範囲】
【請求項１】
被写体を撮影するカメラにおいて、
該カメラを撮影者に向けて該撮影者自身を撮影するセルフポートレートモードを含む複数の撮影モードの中から任意の撮影モードを指定するモード切替操作子と、
被写体距離を測定する測距装置と、
前記モード切替操作子によりセルフポートレートモードが指定された場合において、前記測距装置で測定された被写体距離が所定の第１の距離よりも遠距離であるか否かを判定し、該第１の距離よりも近距離の場合は、該被写体距離にピントを設定するとともに、該被写体距離が該第１の距離よりも遠距離の場合は、撮影時の絞りが所定の小絞り条件に合致するか否かに応じて、それぞれ、該第１の距離よりも遠距離の第２の距離にピントを設定、もしくは該第２の距離よりも近距離の第３の距離にピントを設定するピント設定装置とを備えたことを特徴とするカメラ。
【請求項２】
前記第３の距離が前記第１の距離と同一の距離に設定されていることを特徴とする請求項１記載のカメラ。
【請求項３】
撮影に同期し被写体に向けて閃光を発光する、閃光発光のオンオフが自在であって、かつ閃光発光時には調節された光量で発光する閃光発光装置を備え、
前記ピント設定装置が、前記閃光発光装置がオン状態にあることをもって前記小絞り条件を満足すると判定して前記第２の距離にピントを設定するものであって、
前記閃光発光装置は、前記測距装置で測定された被写体距離が前記第１の距離よりも遠距離であるか否かに応じて、それぞれ、前記第２の距離よりも近距離の所定の第４の距離に存在するときの光量、および被写体が該被写体距離に存在するときの光量の閃光を発光するものであることを特徴とする請求項１記載のカメラ。
【請求項４】
前記第４の距離が前記第３の距離と同一の距離に設定されていることを特徴とする請求項３記載のカメラ。
【請求項５】
前記ピント設定装置が、被写界輝度が所定の小絞りで撮影が行なわれるレベルの高輝度あることをもって、前記小絞り条件を満足すると判定するものであることを特徴とする請求項１記載のカメラ。
【請求項６】
前記ピント設定装置は、前記小絞り条件を満足しないと判定した場合に、絞りの開きに応じて、該絞りが開くほど、前記第２の距離から、該第２の距離よりも近距離の所定の第５の距離に向けて変化させた前記第３の距離にピントを設定するものであることを特徴とする請求項５記載のカメラ。
【請求項７】
前記第５の距離が前記第１の距離と同一の距離に設定されていることを特徴とする請求項６記載のカメラ。
【請求項８】
前記ピント設定装置は、前記モード切替操作子によりセルフポートレートモードが設定された場合に、所定の距離範囲内にのみピントを設定するものであり、前記測距装置により被写体が該距離範囲よりも近距離に存在すると測定された場合に、該距離範囲内の最近距離にピントを設定するものであることを特徴とする請求項１記載のカメラ。
【発明の詳細な説明】
【０００１】
【発明の属する技術分野】
本発明は、被写体を撮影するカメラであって、特にそのカメラを撮影者に向けて撮影者自身を撮影するセルフポートレートモードを有するカメラに関する。
【０００２】
【従来の技術】
撮影者の中にはカメラを自分に向けて持ち、自分でレリーズ操作を行なって撮影を行なう、いわゆるセルフポートレート撮影を行なう人がいる。カメラの中には、このようなセルフポートレート撮影が行なわれることを想定してセルフポートレートモードという撮影モードが付加されたカメラもある。
【０００３】
このセルフポートレートモードが指定され、セルフポートレートでの撮影が行なわれるときには、カメラ内にセルフポートレートに適した撮影条件が設定されて撮影が行なわれる（例えば特許文献１参照）。この特許文献１では、セルフポートレートモードが指定されると、所定の距離範囲内に被写体が位置するものとしてピントが所定の距離に固定され、撮影が行なわれる。このようにしておくと、このカメラが備える測距装置により被写体までではなく背景までの被写体距離が測定されたとしてもその所定の距離付近に位置する撮影者が鮮明に撮影される。しかし、セルフポートレートモードにおいて、このように所定の距離にピントが固定されてまうと、被写体は鮮明に撮影されるものの、背景にピンボケが生じてしまう。セルフポートレートモードに関するものではないが、被写体から背景にまでピントをあわせて撮影を行なう技術はいくつか開示されている（例えば特許文献２、特許文献３、特許文献４参照）。しかし、これら特許文献２、特許文献３、特許文献４のものでは、セルフポートレートモードでの撮影のように近距離での撮影を行なうときに、被写体から背景にまでピントをあわせて撮影を行なうと行なったことについてはなんら触れられていない。
【０００４】
また、セルフポートレートモードでの撮影は室内で閃光を発光して行なわれることが多い。このように閃光を伴う撮影が行なわれるときに、測距装置により被写体までの被写体距離が測定されずに背景までの被写体距離が測定されるようなことが起こると、閃光の光量の調節をうまく行なえずに露光オーバが発生しまうことがある。
【０００５】
【特許文献１】
特開平２０００−３０５１３３号公報
【特許文献２】
特開平２０００−２８４１６９号公報
【特許文献３】
特開平２０００−３２１４８３号公報
【特許文献４】
特開平２００２−２４４０２２号公報
【０００６】
【発明が解決しようとする課題】
本発明は、上記事情に鑑み、セルフポートレートモードで撮影を行なうのに適したピントの設定はもとより、そのピントの設定に応じた適正露光量を得るカメラを提供することを目的とする。
【０００７】
【課題を解決するための手段】
上記目的を達成する本発明のカメラは、被写体を撮影するカメラにおいて、
そのカメラを撮影者に向けてその撮影者自身を撮影するセルフポートレートモードを含む複数の撮影モードの中から任意の撮影モードを指定するモード切替操作子と、
上記モード切替操作子によりセルフポートレートモードが指定された場合において、上記測距装置で測定された被写体距離が所定の第１の距離よりも遠距離であるか否かを判定し、その第１の距離よりも近距離の場合は、その被写体距離にピントを設定するとともに、その第１の距離よりも遠距離の場合は、撮影時の絞りが所定の小絞り条件に合致するか否かに応じて、それぞれ、その第１の距離よりも遠距離の第２の距離にピントを設定もしくはその第２の距離よりも近距離の第３の距離にピントを設定するピント設定装置とを備えたことを特徴とする。
【０００８】
上記本発明のカメラによれば、上記モード切替操作子により上記セルフポートレートモードが指定され、上記測距装置で測定された被写体距離が上記所定の第１の距離よりも近距離であると上記ピント設定装置により判定された場合には、被写体距離が正確に測定されたものとして、その測距装置が測定した被写体距離にピントの設定が行われる。
【０００９】
ここではポートレート撮影が行なわれるときの撮影光学系の撮影画角は不変であり、その撮影画角内を占有する被写体の面積が被写体距離に応じて変わることを利用し、被写体距離が第１の距離よりも近距離に存在するときには撮影画角内を被写体が大きく占有し、測距装置での測定が比較的正確に行われるとしている。そうすると、その第１の距離よりも近距離の被写体距離が測定された場合には、被写体が撮影画角内をかなり大きく占めるものとして上記ピント設定装置によりその被写体距離にピントの設定を行なえる。
【００１０】
これに対し、上記測距装置によりその第１の距離よりも遠距離の被写体距離が測定された場合には、被写体が撮影画角内を占める率が減り、背景が大きく撮影画角内を占め、上記測距装置により背景側が測定される率が高くなるものとしている。そこで、上記ピント設定装置により上記第１の距離よりも遠距離のいずれかの位置にピントの設定を行なって被写体のほかに背景の撮影も行なえるようにしている。このときには、絞りを絞れば絞るほど、被写界深度は深くなるということを利用して、上記測距装置で測定された被写体距離が上記第１の距離よりも遠距離の場合であって上記ピント設定装置が所定の小絞り条件に合致すると判定した場合には、上記ピント設定装置で上記第１の距離よりも遠距離の上記第２の距離にピントの設定が行なわれる。そうすると小絞りで被写界深度を深くして撮影を行なうことができ、その第２の距離よりも近距離の第１の距離付近から第２の距離よりも充分遠距離の方にまでピントをあわせ、背景を含めた撮影を行なうことができる。
【００１１】
また上記小絞り条件に合致しない場合には、絞りを小絞りよりも開き気味で撮影を行なわなければならない。そこで小絞り条件に合致しない場合には、上記ピント設定装置で、上記第２の距離よりも近距離の第３の距離に上記絞りの開きに応じてピントの設定を行ない、その第３の距離前後の、その絞りの開きに応じた被写界深度にピントをあわせて被写体および被写体近傍の背景の撮影が行なわれる。このようにしておくと、絞りの開きに応じて、上記第２の距離よりも近距離の上記第３の距離にピントを合わせ、被写体近傍の背景とともに被写体の撮影を鮮明に行なえる。
【００１２】
ここで、上記第３の距離が上記第１の距離と同一の距離に設定されていることが好ましい。
【００１３】
そうすると上記測距装置で測定された被写体距離が上記第１の距離より遠距離であると上記ピント設定装置が判定したときに、上記測距装置の測定結果に拠らず、上記ピント設定装置により上記第１の距離にピントを設定し、その第１の距離前後の、上記絞りの開きに応じた被写界深度にピントをあわせて被写体前後の撮影を行なえる。こうしておくとたとえば上記第１の距離よりも近距離に被写体が存在したときに測距装置により不正確な測定が行われたとしても、第１の距離よりも近距離の所定の位置から上記第２の距離の位置の間にいる被写体が必ず被写界深度内に入り、被写体の撮影を鮮明に行なえる。
【００１４】
ただし、外光の被写界輝度に応じては、どうしても小絞り条件を満足させることができないこともある。
【００１５】
そこで、撮影に同期し被写体に向けて閃光を発光する、閃光発光のオンオフが自在であって、かつ閃光発光時には調節された光量で発光する閃光発光装置を備え、
上記ピント設定装置が、上記閃光発光装置がオン状態にあることをもって上記小絞り条件を満足すると判定して上記第２の距離にピントを設定するものであって、
上記閃光発光装置は、上記測距装置で測定された被写体距離が上記第１の距離よりも遠距離であるか否かに応じて、それぞれ、上記第２の距離よりも近距離の所定の第４の距離に存在するときの光量、および被写体がその被写体距離に存在するときの光量の閃光を発光するものであることが好ましい。
【００１６】
このように、上記閃光発光装置がオン状態であって、上記測距装置で測定された被写体距離が上記第１の距離よりも遠距離であると上記ピント設定装置が判定したときには、上記第２の距離にピントを設定し、被写界輝度が暗くても閃光を発光することで上記小絞り条件を満足させ、被写体から背景までの撮影を行える。
【００１７】
ただし、ポートレート撮影を行なうときには、測距装置が撮影者である被写体の被写体距離を正確に測定せず、背景側の被写体距離などを測定して、不正確な被写体距離の測定をしてしまうこともある。このときには上記測距装置で測定された被写体距離が当てにならないため上記閃光発光装置にどの程度の光量で閃光発光を行わせたら適正露光量が得られるかどうかが分からない。そこで、本発明のカメラでは、ポートレート撮影が行なわれる前に行われたポートレート撮影の撮影条件などから、上記第２の距離よりも近距離の所定の第４の距離に被写体が存在する確率が高いと上記ピント設定装置が判定した場合に、上記閃光発光装置に、その所定の第４の距離に被写体が存在するときの光量で閃光の発光を行わせている。そうすると、小絞り条件を満足させ被写界深度を深くするとともに適正露光量でポートレート撮影を行なえる。
【００１８】
また、上記閃光発光装置がオン状態であって、上記測距装置で測定された被写体距離が上記第１の距離より近距離にあると上記ピント設定装置が判定した場合に、その測距装置で被写体距離が正確に測定されている確率が高いとピント設定装置が判定して、上記ピント設定装置で被写体距離にピントを設定するとともに、その被写体距離に応じた閃光の光量で閃光発光装置に閃光の発光を行わせ、上記小絞り条件を満足させた上で被写体の撮影が行なわれる。通常、近距離でピントをあわせたときには、小絞りで撮影しても被写界深度はおまり大きくとれないが、上記測距装置で測定された被写体距離が正確なものであるとその被写体距離にピントを設定し閃光を発して小絞りで撮影を行なうことにより、被写体を必ず被写界深度内に入れ、被写体付近の撮影を鮮明に行なえる。
【００１９】
ここで、上記第４の距離が上記第３の距離と同一の距離に設定されていることが好ましい。
【００２０】
上記測距装置の被写体距離の測定の正確さ、不正確さに応じて、上記ピント設定装置により確率的に被写体が存在する位置を定めて、被写体の撮影を行なっているため、上記閃光発光装置に上記第４の距離に被写体が存在するときの光量で閃光の発光を行わせても適正露光量が得られない場合もある。そこでさらにその第４の距離よりも近距離に被写体が存在するとして光量を調節して上記閃光発光装置に閃光の発光を行わせると、適正露光量が得られる。ここで、この適正露光量を得るための第３の距離を上記第１の距離とすると、被写体が上記第１の距離から上記第２の距離の間に存在する場合には、閃光の光量がその第１の距離に存在したときのものとなり、適正露光量が得られ露光オーバが起こらない。
【００２１】
ここで上記ピント設定装置が、被写界輝度が所定の小絞りで撮影が行なわれるレベルの高輝度あることをもって、上記小絞り条件を満足すると判定するものであることが好ましい。
【００２２】
このように上記ピント設定装置が、被写界輝度が所定の小絞りで撮影が行なわれるレベルの高輝度であることをもって上記小絞り条件を満足すると判定するものであると、閃光の発光を行なわなくても、上記ピント設定装置により上記第２の距離にピントの設定を行なうとともに小絞りで撮影を行なえる。そうすると、その第２の距離前後の、小絞りに応じた被写界深度にピントをあわせて被写体とともに背景まで含めた撮影を行なえる。
【００２３】
ここで、上記ピント設定装置は、上記小絞り条件を満足しないと判定した場合に、絞りの開きに応じて、その絞りが開くほど、上記第２の距離から、その第２の距離よりも近距離の所定の第５の距離に向けて変化させた上記第３の距離にピントを設定するものであることが好ましい。
【００２４】
このように上記第２の距離よりも近距離の上記第３の距離にピントを設定することで、その第３の距離前後の、絞りの開きに応じた被写界深度にピントをあわせて被写体の撮影を行なえる。その結果、絞りの開きに応じて、上記第２の距離よりも近距離の上記第５の距離に向けて変化させた上記第３の距離にピントを合わせ、被写体近傍の背景とともに被写体の撮影を鮮明に行なえる。
【００２５】
ここで上記第５の距離は第１の距離と同一の距離であることが好ましい。
【００２６】
そうすると、上記測距装置で測定された被写体距離が上記第１の距離より遠距離であると上記ピント設定装置が判定したときに上記第５の距離をその第１の距離として扱うことができ、絞りの開きに応じてその第１の距離に向けて変化させた上記第３の距離にピントを合わせることで、測距装置での測定が不正確になり、被写体距離が判明しない被写体距離で撮影を行なったとしても、上記第１の距離から上記第２の距離までのいずれかの位置に被写体が存在するとして被写体の撮影を確実に行なえる。
【００２７】
さらに上記ピント設定装置は、上記モード切替操作子によりセルフポートレートモードが設定された場合に、その所定の距離範囲内にのみピントを設定するものであり、上記測距装置により被写体がその距離範囲よりも近距離に存在すると測定された場合に、その距離範囲内の最近距離にピントを設定するものであることが好ましい。
【００２８】
このようにピント設定装置が上記第１の距離よりも近距離の最近距離から上記第２の距離までの所定の距離範囲内にピントを設定するものであって、その距離範囲よりも近距離に被写体が位置するときにその距離範囲内の上記最近距離にピントを設定するものであると、上記第１の距離一点にピントが固定され撮影が行なわれていた、いままでのカメラに比べてピンボケの少ない写真が得られる。
【００２９】
【発明の実施の形態】
以下、本発明の実施形態を、図を参照して説明する。
【００３０】
図１は、本実施形態のカメラを示す斜視図であり、図１（ａ）は前方斜め上方から見た斜視図で、また図１（ｂ）は後方斜め上方から見た斜視図である。
【００３１】
図１（ａ）に示すように撮影レンズ１０１上方には、測距用の投光窓１０２ａおよび受光窓１０２ｂ、ファインダの対物窓１０３が備えられている。さらにそのファインダの対物窓１０３の隣には閃光発光部１０４も備えられている。
【００３２】
このカメラ１００の上部にはこのカメラ１００を撮影者に向けて撮影者自身を撮影するときに撮影者がどちらの手でもレリーズ操作を行なえるように右手用および左手用のレリーズ釦１１０ａ，１１０ｂが二つ設けられている。
【００３３】
またカメラ１００の上部には、撮影者に向けて撮影者自身を撮影するセルフポートレートを指定するモード切替スイッチ１２０も設けられており、そのモード切替スイッチ１２０がセルフポートレート側に切り替えられると、このカメラ１００を撮影者に向けて撮影者自身を撮影するセルフポートレートモードに適したピントの設定が後述するカメラ１００内部の信号処理部で行なわれる。なお、本実施形態のカメラ１００では、セルフポートレートモードスイッチ１２０が他の撮影モードとは別に設けられているが、このセルフポートレートモードスイッチ１２０は、このセルフポートレートモードを含む複数の撮影モードの中から任意の撮影モードを指定するモード切替操作子であっても良い。
【００３４】
セルフポートレートスイッチ１２０が切り替えられ、セルフポートレートモードになると、右手用、左手用レリーズ釦のいずれかが使用禁止になっていたとしても、右手用のレリーズ釦１１０ａ、左手用レリーズ釦１１０ｂ双方が使用可能な状態になる。つまりセルフポートレートスイッチ１２０が切り替えられてセルフポートレートモードになったときには、どちらの手でレリーズ操作されても良いようになる。したがって、撮影者自身の姿勢に応じてどちらかの手でレリーズ操作を行なって、セルフポートレート撮影を行なえる。
【００３５】
また、このカメラ１００の背面には図１（ｂ）に示すように表示画面１４０ａや十字キー１５０などの操作部が備えられており、その十字キー１５０の内側にはこのカメラが有する撮影モードおよび閃光発光モードのいずれかを指定するメニュー／決定釦１５１も設けられている。その表示画面１４０の上方にはファインダの接眼部１０３ａも在り、その接眼部１０３ａの脇には警告ランプ１０３ｂが備えられている。この警告ランプ１０３ｂはセルフポートレートモードになっていることをユーザに知らせるためのものであり、この警告ランプが点滅すると、セルフポートレートスイッチ１２０がセルフポートレート側に切り替えられてセルフポートレートモードになっていることがユーザに伝えられる。このようにしておくと、セルフポートレートモードであるにも拘わらずファインダ１０３を覗いて通常撮影を行なおうとしたときに、ファインダの接眼部１０３ａのライト１０３ｂが点滅してユーザに対しセルフポートレートモードであることを知らせることができ、セルフポートレートモードであるにも拘わらず、誤って通常撮影が行なわれると行なったことがなくなる。
【００３６】
また表示画面１４０ａ上には閃光発光部１０４の閃光発光モードの設定内容や、セルフタイマーの設定内容や、フォーカス調整などの設定内容や、日時などがそれらを表わす画像で表示されており、それらの他にどちらのレリーズ釦が使用可能な状態に設定されているかも画像で表示されている。また、表示画面１４０ａの最上部にはＡＵＴＯという文字によって閃光発光モードとしてオート発光モードが指定されていることが示されている。このカメラ１００には閃光発光モードとして、オート発光モードや強制発光オフモードや赤目発光モードなどが配備されており、その閃光発光モードのうち、オート発光モードが設定された状態が示されている。これらのモードの切替は十字キー１５１によって行なわれ、決定ボタン１５０によって指定される。
【００３７】
このような機能を有するカメラでセルフポートレート撮影が行なわれる。
【００３８】
図２は図１のカメラの信号処理部の構成を示す図である。
【００３９】
このカメラはＣＰＵ１６０により統括的に制御されるもので、図２の左側にはＣＰＵ１６０へ信号を入力するものを、図２の右側にはＣＰＵ１６０からの指示に応じて、フォーカスレンズ（不図示）を所定の位置に駆動するレンズ駆動部１６１、シャッタを駆動するシャッタ駆動部１６２、閃光を発する閃光発光部１０４、ロール状のフィルムの撮影駒を撮影位置に給送する給送機構１６３、図１（ｂ）に示す表示画面１４０ａを持つ表示装置１４０がそれぞれ示されている。
【００４０】
このＣＰＵ１６０の入力側には、電源部１６４、測光部１６５、測距装置１６６、操作部１６７、フィルム感度検出部１６８が配備されている。測光部１６５は、被写界輝度を測光するためのもので、測距装置１６６は、被写体距離を測距するためのものである。なお、電源部１６４はＣＰＵ１６０に動作用の電力を供給するものとして入力側に示してある。
【００４１】
また、操作部１６７の中には、図１で示したレリーズ釦１１０ａ，１１０ｂほか、セルフポートレートモードスイッチ１２０、決定釦１５０、十字キー１５１などがある。この操作部１６７の中のいずれかのスイッチの操作内容に応じても、レンズ駆動部１６１、閃光発光装置１０４の他、シャッタ駆動部１６２、給送機構１６３、表示装置１４０などの動作がＣＰＵ１６０により制御される。
【００４２】
ＣＰＵ１６０では、測光部１６５からの被写界輝度とフィルム感度検出手段１６９からのフィルム感度情報に基づいて、露光量を定めることが行なわれ、その露光量に基づいて定められた絞りとシャッタ秒時の組み合わせをシャッタ駆動部１６２に設定することが行なわれる。このＣＰＵ１６０とレンズ駆動部１６１とでプログラムシャッタが構成される。本実施形態のカメラでは、その絞りとシャッタ秒時に応じて絞り兼用のシャッタがシャッタ駆動部１６１により駆動される。またＣＰＵ１６０によって測距装置１６６で測定された被写体距離が閃光発光装置１０４に伝えられるとともに、レンズ駆動部１６１にも被写体距離が伝えられる。閃光発光装置１０４ではＣＰＵ１６０から供給された被写体距離に応じた光量で閃光発光部１０４ａに閃光発光を行なわせ、レンズ駆動部１６１ではその被写体距離に応じた位置にフォーカスレンズを駆動することが行なわれる。このＣＰＵ１６０とレンズ駆動部１６２が本発明にいうピント設定装置に当たる。
【００４３】
また、操作部１６７にあるレリーズボタン１１０ａ，１１０ｂが押下されレリーズ操作が行なわれたときには、ＣＰＵ１６０からシャッタ駆動部１６２にレリーズ操作が行なわれたことが通知され、シャッタ駆動部１６２により絞り兼用シャッタが駆動される。また、絞り兼用シャッタがシャッタ駆動部１６２により駆動されているときのいずれかのタイミングでＣＰＵ１６０からの指示に応じて閃光発光装置１０４の閃光発光部１０４ａから閃光が発せられる。この閃光発光装置１０４では、ＣＰＵ１６０からの指示に基づいて、撮影に同期し被写体に向けて、上記測距装置１６６で測定された被写体距離に応じた光量の閃光が発光される。
【００４４】
本実施形態のカメラでは、フラッシュマチックと呼ばれる制御方式の閃光発光制御がＣＰＵ１６０により行なわれている。このフラッシュマチック制御方式では、ＣＰＵによりレンズ駆動部１６１で駆動される絞り兼用シャッタの駆動タイミングにあわせて、閃光の光量を制御することが行なわれる。つまりＣＰＵ１６０によりシャッタ駆動部１６２が制御されているので、そのレンズ駆動部１６１の駆動状況に応じて、絞り兼用シャッタがまだ小絞り状態のときに閃光発光を行なわせて光量を減らすと行なったことが行なわれる。しかし、ポートレートモード撮影のように撮影者がカメラの近くに位置するときには、絞り兼用シャッタがまだ小絞り状態のときに閃光発光を行なわせても光量が多くなることがある。そこで本実施形態のカメラが有するフラッシュマチック制御方式では、閃光発光の発光時間を短縮させ、さらに光量を減らすことができるように改良が施されている。したがって、セルフポートレートモードになって、撮影者がカメラの近くに位置していても、本実施形態のカメラが有するフラッシュマチック制御方式によって被写体距離に応じた光量で閃光発光を行なえる。
【００４５】
また本実施形態のカメラでは、レリーズ釦１１０ａ，１１０ｂまで撮影者が左右の手いずれかを延ばして届く距離を０．３５ｍ〜０．８５ｍとして見込んでいる。この０．３５ｍ〜０．８５ｍが本発明にいう所定の距離範囲に当たる。したがって切替操作子によりセルフポートレートモードが指定されたら、上記所定の距離範囲内のいずれかに上記ピント設定装置によりピントが設定され、撮影が行なわれる。
【００４６】
この距離範囲内のいずれかに上記ピント設定装置によりピントを設定するときには測距装置で測定された被写体距離に基づいてピントの設定が行なわれるが、前述したように測距装置１６６により被写体ではなく背景が測定されてしまうことがある。
【００４７】
そこで、本実施形態のカメラ１００ではセルフポートレートモードが指定されたときに測距装置１６６で被写体距離が正確に測定されなかった場合、所定の距離範囲内にのみ上記ピント設定装置によりピントの設定を行なえるようにしている。さらに測距装置での測定に誤りが生じる率が高いか低いかに応じて確率的にピントの位置を定め、閃光を発光させることで小絞り条件を満足させ、背景を含めて被写体の撮影を行なう場合と、被写体付近のみの撮影を行なう場合とに分けてピントの設定を行なえるようにしている。この測距装置での測定に誤りが生じる率が高いか低いかを区別する基準として本発明にいう第１の距離が用いられる。本実施形態のカメラではこの第１の距離として上記所定の距離範囲内の中央値である０．５５ｍを用いている。
【００４８】
本実施形態のカメラにおいてはこの第１の距離である０．５５ｍよりも近距離に被写体が位置するときには、撮影画角内のほとんどが被写体により占有され、測距装置１６６での測定に誤りが生じる率がかなり低くなるとし、逆にこの第１の距離よりも遠距離に被写体が位置するときには撮影画角内を背景が占有する率が上がり、測距装置１６６での測定に誤りが生じる率がかなり高くなるとしている。
【００４９】
ここでは測距装置１６６で測定された被写体距離がその第１の距離０．５５ｍより遠距離であると判定されたときには、撮影画角内を背景が占有する率が上がり、測距装置１６６で測定された被写体距離に誤りが発生する率が高いとし、上記所定の距離範囲内の最遠点０．８５ｍにピントを設定するとともに小絞りを設定し、上記所定の距離範囲内はもとより、背景に至るまでピントをあわせて撮影が行なわれる。この最遠点０．８５ｍが本発明にいう第２の距離に当たる。
【００５０】
逆に測距装置１６６で測定された被写体距離がその第１の距離０．５５ｍより近距離であると判定されたときには、上記撮影画角内を被写体が占有する率が高いものとし、測距装置１６６で測定された被写体距離に誤りがないものとして、その測定された被写体距離にピントを設定するとともに小絞りを設定し、被写体前後の、小絞りに応じた被写界深度にピントをあわせて撮影が行なわれる。
【００５１】
したがって被写界輝度が充分に明るいときには、小絞りを設定して以上のような撮影が行なわれる。しかし被写界輝度が暗くなってくると小絞りを設定して撮影を行なうという訳には行なかない。特にセルフポートレートモードでの撮影は室内で行なわれることが多い。そこで、本実施形態のカメラ１００ではセルフポートレートモードにおいてオート発光モードが指定され、閃光発光装置１０４がオン状態にあることをもって小絞り条件を満足するとして小絞りを設定してセルフポートレート撮影を行なえるようにしている。
【００５２】
本実施形態のカメラが有する閃光発光装置１０４は、前述したように被写体距離に応じた光量に閃光の光量を調節することが自在なものであるので、測距装置１６６で測定された被写体距離が第１の距離よりも近距離にあるときには、被写体距離に応じた光量で閃光を発光させ、小絞り条件を満足させた上で被写体の撮影を行なっている。また測距装置１６６で測定された被写体距離が第１の距離よりも遠距離であるときには、第２の距離ここでは０．８５ｍよりも近距離の第４の距離に存在するときの光量の閃光を発光させ、光量の小絞り条件を満足させ、露光オーバが起こらないようにして撮影を行なうようにしている。この第４の距離は例えばポートレート撮影を行なっているときに、そのポートレート撮影を行なうよりも前に撮影された撮影距離が位置していた確率に基づいて推定されるものでも良いが、ここではこの第４の距離を最短の距離に当たる第１の距離としている。そうすると、０．５５ｍよりも遠距離に位置すると判定された被写体に向けて、０．５５ｍの位置に被写体が存在するときの光量の閃光を発光させることができる。その結果、適正露光量が得られ、鮮明な写真が得られる。
【００５３】
このようにしておけば、測距装置で測定された被写体距離に応じてセフルポートレートモードに適したピントの設定を行なえるばかりでなく、適正露光量が得られ、露光オーバになる率をかなり抑えることができる。
【００５４】
ここで本実施形態のカメラ１００で行なわれているセルフポートレートモードにおいての実際の処理の手順を、図３を参照して詳細に説明する。
【００５５】
図３はセルフポートレートの処理の手順を示すフローチャートである。なおここではオート発光モードが指定されるものとして所定の手順を説明する。
【００５６】
図３に示すようにセルフポートレートモードスイッチ１２０によりセルフポートレートモードが指定されると、図３に示すフローチャートの処理が開始される。
【００５７】
まず、ステップＳ３１０でフィルム感度の読み取りがフィルム感度検出部１６８により行なわれる。このフィルム感度検出部１６８により検出されたフィルム感度はＣＰＵ１６０内のレジスタなどに記憶され、次のステップＳ３２０で測光部１６５により測光された測光量ＬｖもＣＰＵ１６０内のレジスタなどに記憶される。この測光部１６５による測光は所定の間隔で常に行なわれ、この測光部１６５での測光結果とフィルム感度検出部１６８により検出されたフィルム感度に基づいて撮影時の露光量（以下ＥＶ値という）が定められ、そのＥＶ値に応じてプログラムシャッタの絞りとシャッタ秒時の組み合わせの設定が行なわれる。また次のステップＳ３３０で測距装置１６６により被写体距離Ｌの測距が行なわれる。
【００５８】
以下のステップＳ３４０からはＣＰＵ１６０により撮影に係る処理が行なわれる。まずステップ３４０でセルフポートレートモードであるか否かが判定され、このステップＳ３４０でＹと判定されたらステップＳ３５０で、ステップＳ３３０で得られた被写体距離Ｌが第１の距離０．５５ｍ以上であるかどうかが判定される。このステップＳ３５０で、測距装置で被写体距離の測定を正確に行えなかったときも含めて被写体距離Ｌが第１の距離０．５５ｍ以上になったときにＹと判定され、次のステップＳ３６０へ移行して、ステップ３６０でフラッシュオンであるかどうかが判定される。ここではオート発光モードが選択されているのでステップＳ３６０でＹと判定され、次のステップＳ３７０へ移行して第２の距離０．８５ｍにピントの設定が行なわれる。
【００５９】
このように被写体距離が第１の距離である０．５５ｍ以上で、閃光発光装置１０４がオン状態にあることをもってＣＰＵ１６０では小絞り条件を満足すると判断して第１の距離である０．５５ｍよりも遠距離の第２の距離である０．８５ｍにピントを設定する。次のステップ３８０では閃光の光量が上記第２の距離である０．８５ｍよりも近距離である第１の距離０．５５ｍに被写体が存在するときの光量に調節され、その調節された光量で閃光を発光して撮影が行なわれる。ここでは第１の距離でもある０．５５ｍが第４の距離に当たる。このようにしておけば、閃光の光量が多すぎて露光オーバが起こることがなくなる。なお、この第４の距離は第２の距離０．８５ｍよりも手前であれば良く、測距装置１６６で測定された被写体距離Ｌが０．５５ｍより遠距離で０．８５ｍよりも近距離である範囲で正確に測定されていると判定された場合には、その測定された被写体距離に応じた距離を第４の距離として閃光を発光させても良い。
【００６０】
このように閃光の光量の調節とピントの設定が測距装置での測距装置１６６での測定に誤りが生じる率が高いか低いかに応じて確率的に定められ、撮影が行なわれると図４（ａ）に示すような写真が得られる。
【００６１】
図４（ａ）は測距装置１６６で測定された被写体距離Ｌが第１の距離０．５５ｍ以上例えば無限大になったときに本実施形態のカメラ特有のフラッシュマチック制御方式により閃光の光量が調節されて、閃光が発光され撮影が行なわれたときに得られた写真を示す図である。
【００６２】
図４（ａ）に示すように、背景に至るまで鮮明な写真が得られている。
【００６３】
この図４（ａ）の写真の出来栄えを説明するため、従来のカメラで被写体距離０．５５ｍにいる人物の撮影が行なわれたときのピンボケの状態と本実施形態のカメラで被写体距離０．５５ｍにいる人物の撮影が行なわれたときのピンボケの状態の比較を表１に示す。
【００６４】
【表１】
2004294820.tif 000003
【００６５】
表１にはピンボケの程度を示す指標として錯乱円の径が示されている。この錯乱円は、ピントのボケ具合を示す指標であり、この錯乱円の径が０であれば、ピンボケがないということを意味する。表中、被写体錯乱円と記載されているのが人物のボケ具合を示すものであり、Ｉｎｆ錯乱円と記載されているのが、背景のボケ具合を示すものである。
【００６６】
従来のカメラによれば、被写体距離０．５５ｍの位置に固定的にピントの設定が行なわれ、そのピント位置０．５５ｍでの錯乱円の径が０μｍになるように撮影が行なわれている。このときには無限遠方位置に対応するＩｎｆ錯乱円が３７０μｍになって背景にかなりボケが生じることが分かる。
【００６７】
これに対し、今回のカメラでは、被写体距離が第１の距離０．５５ｍ以上のときに、第２の距離０．８５ｍの位置にピント設定装置によりピントの設定を行なうとともに、本実施形態のカメラが有するフラッシュマチック制御方式によって第１の距離０．５５ｍに被写体が存在するときの光量に調節された閃光を発して撮影が行なわれる。このときには、第１の距離０．５５ｍより遠距離の第２の距離０．８５ｍにピントの設定が行なわれ、小絞りで撮影が行なわれているので、第１の距離０．５５ｍの錯乱円の径が２５μｍと若干大きくなってはいるが、無限遠方位置つまり背景に対応するＩｎｆ錯乱円の径が３７０μｍから２４０μｍまで絞り込まれ、図４（ａ）に示すように背景までピントのあった写真が得られる。
【００６８】
このようにセルフポートレートモードおよびオート発光モードが指定され、測距装置での測距結果が０．５５ｍ以上のときには、閃光を利用して小絞り条件を満足させ、背景まで含めた撮影を行なうことができる。
【００６９】
ここまでで切替操作子によりポートレートモードが指定された場合において、オート発光モードが指定され、閃光発光装置がオン状態にあったときに小絞り条件を満足すると判定して小絞りで撮影を行なえるときの処理を説明した。ここからはセルフポートレートモードにおいて、閃光オフモードが指定され、閃光発光装置１０４がオフ状態にあるときにどのように撮影の処理が行なわれるかを説明する。
【００７０】
図３のフローチャートに戻って、ステップＳ３６０でＮと判定された場合の処理を説明する。
【００７１】
ステップＳ３６０でＮと判定され、ステップＳ３６１へ移行したらステップＳ３１０での読み取り結果とステップＳ３２０での測光値Ｌｖに基づいて算出されたＥＶ値が１６以下であるかどうかが判定される。このステップＳ３６１でＥＶ値が例えば１１であってＹと判定されたら次のステップＳ３６２へ移行し、第１の距離０．５５ｍにピントが設定され撮影が行なわれる。このときにはＥＶ値が１１であるので被写界輝度がさほど明るくないとＣＰＵ１６０により判断され、そのＣＰＵ１６０によって小絞りよりも開いた絞りが設定されてプログラムシャッタが駆動されてしまう。そこで、ここでは絞りが開いていてもその開いた絞りに応じて定められる被写界深度が所定の距離範囲内つまり０．３５ｍ〜０．８５ｍをカバーするように、第１の距離０．５５ｍにピントを設定して撮影を行なうようにしている。
【００７２】
また、ステップＳ３６１でＥＶ値が１７でＮと判定され、被写界輝度が明るいと判断されたら、ＣＰＵ１６０では小絞り条件を満足するものとしてピント設定装置により、第２の距離０．８５ｍにピントが設定され、所定の距離範囲内はもちろんのこと背景にまでピントがあうように小絞りでプログラムシャッタが駆動され、撮影が行なわれる。
【００７３】
このようにしておけば、所定の距離範囲内にある被写体はもちろんのこと、小絞り条件を満足すると判定されたときにはその所定の距離範囲内ばかりでなく背景をも含めて撮影を行なえる。
【００７４】
ここからは被写体が被写体距離０．５５ｍよりも近距離に存在し、測距装置１６６での被写体距離の測定がかなり信頼の置けるものになった場合の処理を説明する。
【００７５】
ステップＳ３５０で被写体距離Ｌが第１の距離０．５５ｍよりも近距離にあってＮと判定された場合には、ステップＳ３５１へ移行する。このステップＳ３５１で被写体距離Ｌが０．３５ｍ以上であるかどうかが判定され、ステップＳ３５１でＹと判定されたらステップＳ３５２へ移行して、フラッシュオンであるかどうかが判定される。ここでオート発光モードであるのでＹと判定され、ステップＳ３５３へ移行して被写体距離Ｌに応じた閃光を発光することができるように、閃光発光装置に設定されるべき距離Ｌ１に被写体距離Ｌが代入される。
【００７６】
そしてステップＳ３５４では被写体距離Ｌにピントが設定され、さらに次のステップＳ３５５で閃光発光装置１０４にも被写体距離Ｌがセットされ、フラッシュマチック制御によって被写体距離Ｌに応じた閃光が照射され、小絞りで撮影が行なわれる。
【００７７】
また、ステップＳ３５２で閃光オフモードが指定されていたらＮと判定され、ステップＳ３５６で被写体距離Ｌにピントの設定が行なわれ撮影が行なわれる。
【００７８】
このように、セルフポートレートモードスイッチ１２０によりセルフポートレートモードが指定された場合において、測距装置１６６で測定された被写体距離Ｌが所定の第１の距離０．５５ｍよりも近距離に存在するとステップＳ３５０で判定され、さらにその被写体距離Ｌが０．３５ｍ〜０．５５ｍの中のいずれかの位置に存在するとステップＳ３５１で判定された場合には、被写体距離Ｌに応じてピントが設定され、被写体距離Ｌに応じた光量の閃光が発光され、撮影が行なわれる。
【００７９】
このように第１の距離よりも近距離に被写体が存在し、かつ所定の距離範囲内に被写体が存在することが明らかな場合には、被写体距離にピントが設定されるとともに、被写体距離に応じた閃光が照射され、小絞りで撮影が行なわれて被写体の撮影が行なわれる。
【００８０】
また、測距装置１６６で測定された被写体距離Ｌが０．３５ｍよりも近距離である場合には、ステップＳ３５１でＮと判定され、ステップＳ３５７で閃光発光装置１０４に設定されるべき距離Ｌ１に被写体距離Ｌが代入され、ステップＳ３５８で被写体距離Ｌに所定の距離範囲内の最近点０．３５ｍが代入される。したがって所定の距離範囲０．３５ｍ〜０．８５ｍのうち、最近点である０．３５ｍにピント設定装置によりピントが設定されるとともに、閃光発光装置１０４に被写体距離Ｌが設定され、被写体距離に応じた光量で閃光が発光され小絞りで撮影が行なわれる。
【００８１】
図４（ｂ）はその撮影により得られた写真を示す図である。図４（ｂ）に示すように撮影者である被写体にピントのあった鮮明な写真が得られる。
【００８２】
上記表１と同様に錯乱円を用いて、０．３５ｍよりも近い位置ここでは０．３ｍに被写体が存在したときに従来のカメラで撮影を行なったときと、本実施形態のカメラで撮影を行なったときの錯乱円の相違を、表２を用いて説明する。
【００８３】
【表２】
2004294820.tif 000004
【００８４】
表２には０．３ｍの被写体距離のところに撮影者が位置するときに従来のカメラで０、５５ｍにピントの設定を行なって従来のフラッシュマチック制御方式により閃光を発して撮影を行なったときと、本実施形態のカメラで０．３５ｍにピントの設定を行なって本実施形態のカメラ１００が有するフラッシュマチック制御方式により被写体距離に応じた光量で閃光を発して撮影を行なったときの錯乱円の相違が示されている。
【００８５】
従来のカメラでは、被写体距離が０．３ｍであっても、０．５５ｍの位置にピントが設定されフラッシュマチック制御を行なって閃光を発することにより小絞りで撮影が行なわれていた。このため表２からも分かるように被写体距離０．３ｍの被写体錯乱円の径が５８μｍ程度まで拡がっている。しかし本実施形態のカメラ１００では、被写体距離が０．３ｍである場合、所定の距離範囲内の最近点に当たる０．３５ｍにピントのセットが行なわれ、被写体距離に応じた光量で閃光が発光され、小絞りで撮影が行なわれるので、いままでであれば５８μｍあった錯乱円の径を１６μｍまで小さく絞り込むことができる。
【００８６】
このように錯乱円の径を絞り込むことで図４（ｂ）のように被写体にピントのあった鮮明な写真が得られる。
【００８７】
図５は別の実施形態を示す図である。図５には、ステップＳ３６１でＥＶ１６以下であって、小絞り条件を満足しないと判定された場合に、絞りの開きに応じて、その絞りが開くほど、第２の距離０．８５ｍから、その第２の距離０．８５ｍよりも近距離の所定の第５の距離に向けて変化させた第３の距離にピントを設定する場合の処理を示すフローチャートが示されている。ここでは本発明にいう第５の距離を第１の距離とし、本発明にいう第３の距離を被写体距離とした例を掲げてある。
【００８８】
そのステップＳ３６２１を除いて図３のフローチャートと同様である。
【００８９】
図５に示すようにステップＳ３６１でＥＶ値が１６以下であってＹと判定されたときのステップＳ３６２１での処理が異なる。ステップＳ３６２１ではＥＶ値が１６よりも小さくなるにつれて、言い換えれば小絞りよりも絞りが開けば開くほど第２の距離０．８５ｍよりも近距離にある第５の距離に向けて変化させた上記第３の距離にピントの設定が行なわれる。ここでは本発明にいう第５の距離を第１の距離０．５５ｍと同一の距離とし、第３の距離を第２の距離０．８５よりも近距離の被写体距離として、絞りが小絞りより開くほど第２の距離０．８５ｍから第１の距離０．５５ｍに向けてピントの設定位置を変化させている。
【００９０】
このようにすると小絞り条件を満足しない場合にピントの設定位置を絞りの開き具合に応じて０．８５ｍから第３の距離に当たる０．７５ｍ、０．６５ｍ、０．５５ｍと除々に変化させることができ、その絞りの開き具合に応じてピントの設定された位置前後の奥行きを変化させ、被写体の撮影を行なうことができる。
【００９１】
【発明の効果】
以上、説明したように、本発明のカメラによれば、セルフポートレートモードで撮影を行なうのに適したピントの設定はもとより、そのピントの設定に応じた適正露光量を得るカメラを提供することができる。
【図面の簡単な説明】
【図１】本実施形態のカメラを示す斜視図であり、図１（ａ）は前方斜め上方から見た斜視図で、また図１（ｂ）は後方斜め上方から見た斜視図である。
【図２】図１のカメラの内部構成を示す図である。
【図３】ＣＰＵによる処理の手順を示すフローチャートである。
【図４】図３の手順で撮影が行なわれたときに得られる写真の例である。
【図５】別の実施形態のＣＰＵによる処理の手順を示すフローチャートである。
【符号の説明】
１００    カメラ
１０１    撮影レンズ
１０２    測距用窓
１０３    ファインダ
１０４ａ    閃光発光部
１０４    閃光発光装置
１１０ａ    左手用レリーズ釦
１１０ｂ    右手用レリーズ釦
１２０    セルフポートレートモードスイッチ
１４０    表示装置
１４０ａ    表示画面
１４１    レリーズ釦がマークとして表された画像
１５０    十字キー
１５１    メニュー／決定釦
１６０    ＣＰＵ
１６１    レンズ駆動部
１６２    シャッタ駆動部
１６３    給送機構
１６４    電源部
１６５    測光部
１６６    測距装置
１６７    操作部
１６８    フィルム感度検出部
【図１】
2004294820.tif 000005
【図２】
2004294820.tif 000006
【図３】
2004294820.tif 000007
【図４】
2004294820.tif 000008
【図５】
2004294820.tif 000009